(57)【要約】【課題】床暖房装置表面の傷が付きにくく、専門的施工技術を必要とせず、更に軽量化を図り、取り扱いを簡単にする。【解決手段】シート材２と該シート材２の裏面に取り付けセットされ、上側に凹部を有する硬質フェルト４と該硬質フェルト４の凹部と前記シート材２でもって形成した空間内に配設されたヒーター３によって構成し、ヒーター３にはソケット７を持つコード６を連設する。【選択図】　　　　　　図１
2004044997.tif 000002
【特許請求の範囲】
【請求項１】
シート材と該シート材の裏面に取り付けセットされ、上側に凹部を有する硬質フェルトと該硬質フェルトの凹部と前記シート材でもって形成した空間内に配設されたヒーターによって構成され、ヒーターにはソケットを持つコードが連設されていることを特徴とする置き床暖房装置。
【請求項２】
シート材と硬質フェルトとの間に合板材を介在させ、該合板材と前記硬質フェルトの凹部とでもって形成した空間内にヒーターを配設したことを特徴とする請求項１記載の置き床暖房装置。
【発明の詳細な説明】
【０００１】
【発明の属する技術分野】
本発明は、居住空間の暖房特に一般住宅の床暖房に関するものである。
【０００２】
【従来技術】
近年、床暖房の普及が顕著である。通常の暖房装置が、まず空間を暖め、その暖まった空気によって暖を取るのに対して、床暖房は、床面から直接暖を取るので、効率が良く、周囲温度以上の暖かさを感じるものである。しかし、工事が大掛りで、費用も高額となり、一般的には効果を知りながらも、採用には踏み切れない場合が多い。このような状況の中で、最近安価で簡便な床暖房装置が開発され、利用されている。その一例を図５により説明する。平面視正方形あるいは長方形をした暖房装置８は、厚さを極く薄くしたカーペット状を呈している。表面は木材９でもって作られていて、その裏側にはヒーター１０を格納するための浅い凹部が形成されている。ヒーター１０としては面状発熱体が使用され、下面には該ヒーター１０の脱落防化を兼ねて、暖房装置８の設置面である床に傷が付かないよう考慮した不織布即ちカバー１１が所定の方法でセットされている。木材９表面には木目等の模様が施され、見た目の美しさを損なわないようになっている。使用に当たっては、単に床面に置くだけで良く、工事らしい工事は全く必要なく、従って既存の家屋でも簡単に設置可能である。
【０００３】
【発明が解決しようとする課題】
上記先行技術は、既に述べた通り、安価で簡便な床暖房装置である。然しながら、表面を木材としていることから、傷付き易く、施工においても専門的な技術が必要となる。更に、実質的に平板状の木材を床面に設置することになるので、それなりの重量が有り、単に置くだけとは云っても、必ずしも簡単に設置可能と云い切れない等の問題点を有している。
【０００４】
本発明の目的は、安価で簡便な床暖房装置という先行技術の長所はそのままで、装置表面の傷が付きにくく、専門的施工技術を必要とせず、更に軽量化を図ったより安価で簡便な置き床暖房装置を提供することである。
【０００５】
【課題を解決するための手段】
上記目的を達成するために、請求項１記載の発明は、シート材と該シート材の裏面に取り付けセットされ、上側に凹部を有する硬質フェルトと該硬質フェルトの凹部と前記シート材でもって形成した空間内に配設されたヒーターによって構成され、ヒーターにはソケットを持つコードを連設したものである。このように構成したことにより、木材という比較的傷付きやすく、施行に当たっては専門的技術を必要とし、しかも高価な材料を使用しないので、丈夫で、取り扱いが簡単で、しかも軽量化が図れる。
【０００６】
請求項２記載の発明は、シート材と硬質フェルトとの間に合板材を介在させ、該合板材と前記硬質フェルトの凹部とでもって形成した空間内にヒーターを配設するものである。このように構成したことにより、暖房装置としての剛性が向上し、表面のシート材の厚さをより小さくすることが可能となり、使用中のシート材の上に模様を替えた新たなシート材をセットしても、ボッテリ感がなく、スッキリと見栄えが良くなり、硬質フェルトに於いても剛性を特別注意する必要が無くなる。
【０００７】
【発明の実施の形態】
以下、本発明の実施の形態を実施例である図１〜図３に基づき詳細に説明する。１は置き床暖房装置で、図１で良く理解されるよう木目模様のシート材２と該シート材２の裏面に取り付けセットされ、上側に比較的浅く、略均一な深さを持った凹部を有する硬質フェルト４と該硬質フェルト４の凹部と前記シート材２でもって形成した空間内に配設されたＰＴＣ面状発熱体であるヒーター３によって構成され、ヒーター３にはソケット７を持つコード６が連設されている。
【０００８】
シート材２は、ＰＶＣやオレフィン等の合成樹脂で作られ、厚さは１ｍｍ以下が望ましいが、特に限定するものではない。表面の模様は実施例では木目としているが、どのような模様でも良く、部屋の雰囲気や気分に合わせることも可能である。更に、使用した後で部屋の雰囲気を変えるために新たなシート材を取り付けセットすることも容易である。又、材質を合成樹脂以外のもの、例えば丈夫な紙でも良く、場合によっては畳表のようなものでも良い。
【０００９】
硬質フェルト４は、剛性があり、断熱性に優れ、保持力のある材質のものを使用するが、その成形、特に凹部の成形は圧縮加工等のように機械的に行なうことが出来、先行技術のように木材を加工したり、あるいは複数の木材を組み合わせるような面倒さは無く、簡単に行なえる。
【００１０】
図４は、本発明による置き床暖房装置の他の実施例を示すものであるが、そのポイントとなるところは、シート材２と硬質フェルト４との間に比較的薄い合板材５を介在させ、取り付けセットすることである。合板材５を介在させることで、置き床暖房装置１の剛性が向上し、シート材２の厚さを小さくすることが可能となり、部屋の雰囲気を変えるため、使用している置き床暖房装置のシート材２に模様を替えた新たなシート材をスッキリと見栄え良くセットすることが出来る。これは厚さの大きいシート材を二枚重ねした時に発生するボッテリ感が解消されるからである。そして更に、合板材５を介在させることで、硬質フェルト４の剛性は特別注意する必要が無くなって、比較的安価なフェルト材を使用することが出来ることとなる。
【００１１】
図６は、図１に示す置き床暖房装置１を三つ連設して使用した場合を示していて、連設部材１３は、各置き床暖房装置１のヒーターを通電させる為のものであって、例えば両端にコネクタ部材を具備した渡り線とし、隣り合う置き床暖房装置１に於けるヒーターの図示しない接続部に、前記コネクタ部材を接続することで各置き床暖房装置１が連接通電されるようになっている。尚、各置き床暖房装置１自体の連結は特に必要は無い。何故なら、通常の床暖房は使用する部屋全体に配設されるからである。しかし、部屋の一部分に使用されることも無いとは云えず、その場合は、カギ状の部材で連結しても良く、紐状のもので結んでも良い。なお更に、ここでは三連設について説明したが、もっと多く連設可能で、使用数は部屋の大きさによって決定される。
【００１２】
それではここで、本発明による置き床暖房装置１の使用方法について説明する。図示しないコンセントにソケット７を挿入すると、ヒーター３に通電され、該ヒーター３が発熱する。この熱はシート材２を暖めると同時に、シート材近傍の空間の温度を僅かではあるが上昇させる。
【００１３】
【発明の効果】
本発明は、以上説明したように構成されているので、以下に記載するような効果を奏する。
【００１４】
本発明による置き床暖房装置は、シート材と該シート材の裏面に取り付けセットされ、上側に凹部を有する硬質フェルトと該硬質フェルトの凹部と前記シート材でもって形成した空間内に配設されたヒーターによって構成され、ヒーターにはソケットを持つコードを連設したので、木材という比較的傷付きやすく、施行に当たっては専門的技術を必要とし、しかも高価な材料を使用しないので、丈夫で傷つきにくく、取り扱いが簡単で、しかも軽量化が図れる。更に使用中のシート材の上に新たな模様のシート材を取り付けセットすることで、容易に部屋の雰囲気を変えられ且つ安価に提供出来る。
【００１５】
更に、本発明による置き床暖房装置は、シート材と硬質フェルトとの間に合板材を介在させ、該合板材と前記硬質フェルトの凹部とでもって形成した空間内にヒーターを配設したので、暖房装置としての剛性が向上し、表面のシート材の厚さをより小さくすることが可能となり、部屋の雰囲気を変えるため、使用中のシート材の上に模様を替えた新たなシート材を、モッタリ感がなく、スッキリと見栄えを良くセット出来るようになり、硬質フェルトに於いても剛性を特別注意する必要が無くなるので、比較的安価なフェルト材の使用が可能となる。結果として丈夫で傷つきにくく、取り扱いが簡単で、しかも軽量化が図れ且つ安価に提供出来る。
【図面の簡単な説明】
【図１】本発明による置き床暖房装置の一実施例を示す平面図である。
【図２】図１のＡ−Ａ断面図である。
【図３】図２の部分拡大図である。
【図４】本発明による置き床暖房装置の他の実施例を示す図２に相当する部分拡大図である。
【図５】従来の暖房装置の構造を示す図２に相当する部分拡大図である。
【図６】本発明による置き床暖房装置を複数使用した場合の簡略図である。
【符号の説明】
１　　置き床暖房装置
２　　シート材
３　　ヒーター（面状発熱体）
４　　硬質フェルト
５　　合板材
６　　コード
７　　ソケット
８　　暖房装置
９　　木材
１０　ヒーター
１１　カバー（布織布）
１２　三連置き床暖房装置
１３　連通部材
【図１】
2004044997.tif 000003
【図２】
2004044997.tif 000004
【図３】
2004044997.tif 000005
【図４】
2004044997.tif 000006
【図５】
2004044997.tif 000007
【図６】
2004044997.tif 000008